(57)【要約】      （修正有）【課題】“ひだ”の発生を防ぎ、無風状態でも美しい形状の旗本体を保持するアーチバナーを提供する。【解決手段】アーチバナーであって、旗本体４の外側縁部７を形成する曲線が、２個の円弧を連接してなり、旗本体上部における第１の円弧５１は、中心点が外側縁部７の外側にあり、旗本体中部における第２の円弧５２は、中心点が外側縁部７の内側にあり、第１の円弧および第２の円弧を、連接した曲線Ｂを有する。【選択図】図５
0003193390.tif 000002
【実用新案登録請求の範囲】
【請求項１】
旗本体の外側縁部７を形成する曲線であって、２個の円弧を連接してなり、
前記旗本体４上部における第１の円弧は中心点が前記外側縁部７の外側にあり、
前記旗本体４中部における第２の円弧は中心点が前記外側縁部７の内側にあり、
前記第１の円弧及び第２の円弧を、連接してなる曲線Ｂを有するアーチバナー。
【考案の詳細な説明】
【考案の詳細な説明】
【技術分野】
【０００１】本考案は、無風状態でも旗本体が美しさを保持するアーチバナーに関する。
【背景技術】
【０００２】上端が、アーチ状に湾曲した竿に装着した旗は数多く出願されている。代表的な意匠登録第１２４８４２０号公報の旗本体は、竿の先端部から下端部に向けて穏やかな曲線を描いたものであり、描かれた曲線は、単純で、美しさにかける。【０００３】特開２０１３−３３９８号公報は、旗本体の上部の半円形の部分は、風に左右されず、また、しわも発生しない仕組みになっている。半円形以外の部分は風にはためく構造になっているが、この部分については、旗本体と外側縁部の形状を、直線と円弧の組み合わせ、複数の円弧、または鋸歯状にして、注意を惹きやすい旗にしている。しかしながら、しわ、ひだなどの発生とその対策の記述がない。【０００４】そこで、出願人は、円弧の組み合わせを試みた。図３は、１個の円弧による場合であるが、上端がアーチ状になっているとしても、単純すぎて、実用には適さない。
アーチ部分を少し後退させ、図４に示す如く円弧を２個にした場合は、実用に近ずいてきたが、試作をしてみると、図２に示す如くひだの発生など別問題が出てきた。
【先行技術文献】
【特許文献】
【０００５】
【特許文献１】意匠登録第１２４８４２０号公報
【特許文献２】特開２０１３−３３９８号公報
【考案の概要】
【考案が解決しようとする課題】
【０００６】かかる問題点を解決するための課題は、無風状態で使用中、ひだの発生を防ぎ、美しい形状の旗本体４を有するアーチバナーを提供することである。
【課題を解決するための手段】
【０００７】この課題を解決するための、本考案の技術的手段は、アーチバナーであって、
旗本体４の外側縁部７を形成する曲線が２個の円弧を連接してなり、
旗本体４の上部における第１の円弧５１は中心点が外側縁部７の外側にあり、旗本体４中部における第２の円弧５２は中心点が外側縁部７の内側にあり、
前記円弧５１及び円弧５２を、連接した曲線Ｂを有する点にある。
【考案の効果】
【０００８】本考案は、旗本体４の外側縁部７を曲線Ｂで形成したので、外観上美しいばかりでなく室内の無風状態で使用するとき、旗本体４の中部においてひだが発生することがない。
【図面の簡単な説明】
【０００９】
【図１】本考案の実施形態を示す詳細説明図である。
【図２】旗本体４の中部に“ひだ”Ｄが発生した状況の状態図である。
【図３】旗本体４の外側縁部７を形成する曲線Ａが１個の円弧３１である場合の検討図である。
【図４】旗本体４の外側縁部７を形成する曲線Ａ’が２個の円弧４１，４２である場合の検討図である。
【図５】旗本体４の外側縁部７を形成する曲線Ｂ’が３個の円弧５１，５２，５３である場合の検討図である。
【考案を実施するための形態】
【００１０】以下、本考案の実施の形態を図面に基づいて説明する。
本考案は、図１に示す如く、旗本体４の内側縁部６に袋部５有し、先端部２がアーチ状に湾曲した合成樹脂製の竿部１に前記袋部５を挿通してなるアーチバナーに関するものである。袋部５は、内側縁部６に縫合してもよい。袋部５の材質は、旗本体４と同質のものが望ましい。
【００１１】旗本体４は、ポリエステルの生地が用いられる。目付は、５７グラム／平米である。
大きさは、幅（ｍｍ）×  長さ（型枠  ｍｍ）：７００×２１００、７００×２７００、９００×２７００、９００×３６００が実用されている。
【００１２】次に、旗本体４の生地の幅が９００ｍｍで、型枠長２７００ｍｍを例として説明す、るが、前記例以外の前項記載の形状に関しても、本考案の趣旨は適用される。
【００１３】図３は、竿部１の先端２１を起点とする旗本体４の外側縁部７を形成する曲線Ａが、１個の円弧３１である場合の検討図である。前記円弧３１は、中心点が外側縁部７の内側にあり、半径２４００ｍｍの円弧である。
【００１４】図４は、竿部１の先端２１を起点とする旗本体４の外側縁部７を形成する曲線Ａ’が、２個の円弧４１，４２である場合の検討図である。前記円弧４１は中心点が外側縁部７の内側にあり、半径１２００ｍｍの円弧である。前記円弧４２は中心点が外側縁部７の内側にあり、半径２６８０ｍｍの円弧である。
【００１５】図５に示す如く、旗本体４の先端２１を起点とする外側縁部７の曲線は、２個の円弧５１，５２を連接してなり、
旗本体４上部における第１の円弧５１は、中心点が外側縁部７の外側にあり、半径８４０ｍｍの円弧であり、
旗本体４中部における第２の円弧５２は、中心点が外側縁部７の内側にあり、半径が１６３０ｍｍの円弧であり、
前記第１の円弧５１および第２の円弧５２を、連接して１本の曲線Ｂを形成する。
【００１６】図１により考案に至る経過を記載する。
竿部１の先端部３は、旗本体４を生地幅９００ｍｍまで装着可能にした先端部２の延長部分である。
曲線Ｃは、旗本体４の外側縁部７上部の直線と、前記外側縁部７中部及び下部の穏やかな曲線とよりなる。
先端部３の先端３１を起点とする外側縁部７上部の形状が曲線Ｃの前記直線であるので、布地には均一な吊下力が作用して図２のＤ部に示すような“ひだ”は生じないが、外側縁部７の形状が曲線Ｃによるバナーは、特許文献１に記載されているバナーに類似しており、このような特性のバナーは好ましい形状とはいえない。
【００１７】曲線Ｃが有する前記特性を避けるために、前記曲線Ａ，曲線Ａ’を使用した場合を考察してみる。
先端２１を起点とする曲線Ａ、曲線Ａ’による外側縁部７を用いれば、バナーとして美的価値はあがるが、布地のＤ部付近で、布地に及ぼす吊下力の均衡は失われ、その結果外側縁部７の周辺の一部が反転して“ひだ”状態が起きる。この現象は、無風状態で発生し、特に室内において顕著であり、目立って見苦しい。以下、曲線Ａ，曲線Ａ’は、曲線Ａとして記述する。
【００１８】旗本体４上部において曲線Ａと曲線Ｂに囲まれた部分Ｅの布地の、“重み”が布地のＤ付近に不均衡な吊下力となって作用し、この不均衡な吊下力が、布地のＤ部付近で、“ひだ”が発生する原因となる。これを避けるために外側縁部７の形状に曲線Ｂを採用する。
【００１９】曲線Ｂは、２個の円弧の組み合わせよりなる滑らかな曲線であるので、美的感覚として何人にも受け入れ易く、このＢ曲線を採用した旗本体４は、無風状態において、図２のＤ部に示すような“ひだ”は生じないという初期の目的を達成した。
【００２０】図５において、前記円弧５１、５２に連接する第３の円弧５３は、旗本体４の下部において、中心点が、外側縁部７の外側にあり、半径が６６０ｍｍの円弧である。前記円弧５３は、前記曲線Ｂの一部として連接され、曲線Ｂ’を得る。“ひだ”の解消に寄与する曲線は、前記円弧５１および円弧５２であるが、旗本体４として上下のバランスを考慮すると、美しさの点で前記円弧５３の存在が欠かせない。曲線Ｂ’は、旗本体４の美しさを強調するための形態に寄与する曲線である。かくして、実用的には曲線Ｂ’が使用される。
【符号の説明】
【００２１】Ａ，曲線Ａ、曲線Ａ’
Ｂ，曲線Ｂ  曲線Ｂ’
Ｃ，曲線Ｃ
Ｅ，曲線Ａと曲線Ｂに囲まれた部分
１，竿部
２，先端部１
３，先端部２
４，旗本体４
５，袋部
６，内側縁部
７，外側縁部
【図１】
0003193390.tif 000003
【図２】
0003193390.tif 000004
【図３】
0003193390.tif 000005
【図４】
0003193390.tif 000006
【図５】
0003193390.tif 000007